(57)【特許請求の範囲】
【請求項１】
カードに記録されたデータの読取りおよび前記カードへのデータの書込みの少なくともいずれか一方を行う記録再生手段を備えるカードリーダにおいて、
前記記録再生手段から出力されるデータ信号および前記記録再生手段に入力されるデータ信号の少なくともいずれか一方を伝える第１ケーブルと、前記カードリーダを制御するための平板状の回路基板と、前記回路基板に実装され前記第１ケーブルの一端側が接続されるコネクタと、前記回路基板に接続され前記カードリーダを制御するための制御信号を伝える第２ケーブルとを備え、
前記第２ケーブルの幅は、前記第１ケーブルの幅よりも広くなっており、
前記第２ケーブルは、前記第１ケーブルと前記コネクタとの接続部分を覆うように前記回路基板に接続されていることを特徴とするカードリーダ。
【請求項２】
前記第２ケーブルは、前記第１ケーブルと前記コネクタとの接続部分を覆うとともに、前記第１ケーブルの少なくとも一部を覆っていることを特徴とする請求項１記載のカードリーダ。
【請求項３】
前記記録再生手段は、磁気ヘッドであり、
前記第１ケーブルの他端は、前記磁気ヘッドに接続されていることを特徴とする請求項１または２記載のカードリーダ。
【請求項４】
前記カードリーダを制御するための平板状の第２回路基板を備え、
前記第２ケーブルは、前記回路基板と前記第２回路基板とを電気的に繋いでいることを特徴とする請求項１から３のいずれかに記載のカードリーダ。
【請求項５】
前記カードが通過するカード通過路と、前記カード通過路を通過する前記カードを検知するためのカード検知機構とを備え、
前記カード検知機構は、前記カード通過路を挟むように配置される発光部と受光部とを有する光学式のセンサであり、
前記第２回路基板には、前記発光部または前記受光部が実装されていることを特徴とする請求項４記載のカードリーダ。
【請求項６】
前記カードが通過するカード通過路を備え、
前記記録再生手段は、磁気ヘッドであり、
前記カード通過路を通過する前記カードの厚さ方向の一方を第１方向とし、その反対方向を第２方向とすると、
前記回路基板は、前記カード通過路よりも第１方向側に配置され、
前記第２回路基板は、前記カード通過路よりも第２方向側に配置され、
前記磁気ヘッドは、第２方向側から前記カード通過路に臨むように配置されていることを特徴とする請求項４または５記載のカードリーダ。
【請求項７】
前記カードが通過するカード通過路と、前記回路基板に実装され前記第２ケーブルの一端側が接続される第２コネクタとを備え、
前記カード通過路を通過する前記カードの厚さ方向の一方を第１方向とし、その反対方向を第２方向すると、
前記回路基板は、前記回路基板の厚さ方向と前記カード通過路を通過する前記カードの厚さ方向とが一致するように前記カード通過路よりも第１方向側に配置され、
前記コネクタは、前記回路基板の第２方向側の面に実装され、
前記第２コネクタは、前記回路基板の第１方向側の面に実装され、
前記第１ケーブルと前記コネクタとの接続部分は、前記第１方向側から前記回路基板に覆われるとともに、前記カード通過路を通過する前記カードの幅方向の一方側から前記第２ケーブルに覆われていることを特徴とする請求項１から６のいずれかに記載のカードリーダ。
【請求項８】
前記第２ケーブルは、前記カード通過路を通過する前記カードの幅方向の一方側から前記第１ケーブルの少なくとも一部を覆っていることを特徴とする請求項７記載のカードリーダ。
【発明の詳細な説明】
【技術分野】
【０００１】
本発明は、カードに記録されたデータの読取りやカードへのデータの書込みを行うカードリーダに関する。
【背景技術】
【０００２】
従来、カードに記録されたデータの読取りやカードへのデータの書込みを行うカードリーダが知られている（たとえば、特許文献１参照）。特許文献１に記載のカードリーダは、カードに記録された磁気データの読取りを行う磁気ヘッドを備えている。磁気ヘッドには、フレキシブルケーブルが接続されている。フレキシブルケーブルは、データ信号層と、絶縁層を介してデータ信号層の両面を覆う断線検知信号層とを備えている。データ信号層には、磁気ヘッドで読み取られた磁気データのデータ信号を伝えるデータ信号パターンが形成され、断線検知信号層には、自身が断線したことを検知するための断線検知信号パターンが形成されている。
【０００３】
特許文献１に記載のカードリーダでは、データ信号層が断線検知信号層に覆われているため、犯罪者がデータ信号パターンに信号線を取り付けてデータ信号を不正に取得しようとすると、断線検知信号パターンが破壊されて断線する。したがって、このカードリーダでは、断線検知信号パターンを用いて犯罪行為が行われていることを検知することが可能になり、その結果、犯罪者による磁気データの不正取得を阻止することが可能になる。
【先行技術文献】
【特許文献】
【０００４】
【特許文献１】特開２０１２−２０３９５０号公報
【発明の概要】
【発明が解決しようとする課題】
【０００５】
特許文献１に記載のカードリーダでは、磁気ヘッドで読み取られた磁気データのデータ信号を伝えるフレキシブルケーブルに断線検知信号層が形成されているため、上述のように、犯罪者によるデータ信号の不正取得を阻止することが可能になる。しかしながら、このカードリーダでは、磁気データのデータ信号を伝えるフレキシブルケーブルに断線検知信号層が形成されているため、フレキシブルケーブルの構造が複雑になり、フレキシブルケーブルのコストが高くなる。
【０００６】
そこで、本発明の課題は、カードに対してデータの読取りや書込みを行う記録再生手段から出力されるデータ信号や記録再生手段に入力されるデータ信号を伝えるケーブルのコストを低減しつつ、犯罪者によるデータ信号の不正取得を抑制することが可能なカードリーダを提供することにある。
【課題を解決するための手段】
【０００７】
上記の課題を解決するため、本発明のカードリーダは、カードに記録されたデータの読取りおよびカードへのデータの書込みの少なくともいずれか一方を行う記録再生手段を備えるカードリーダにおいて、記録再生手段から出力されるデータ信号および記録再生手段に入力されるデータ信号の少なくともいずれか一方を伝える第１ケーブルと、カードリーダを制御するための平板状の回路基板と、回路基板に実装され第１ケーブルの一端側が接続されるコネクタと、回路基板に接続されカードリーダを制御するための制御信号を伝える第２ケーブルとを備え、第２ケーブルの幅は、第１ケーブルの幅よりも広くなっており、第２ケーブルは、第１ケーブルとコネクタとの接続部分を覆うように回路基板に接続されていることを特徴とする。
【０００８】
本発明のカードリーダでは、記録再生手段から出力されるデータ信号や記録再生手段に入力されるデータ信号を伝える第１ケーブルの幅よりも第２ケーブルの幅が広くなっており、最もデータ信号を不正取得されやすい第１ケーブルとコネクタとの接続部分がこの幅の広い第２ケーブルに覆われている。そのため、本発明では、特許文献１に記載の断線検知信号層が第１ケーブルに形成されていなくても、犯罪者によるデータ信号の不正取得を抑制することが可能になる。したがって、本発明では、第１ケーブルのコストを低減しつつ、犯罪者によるデータ信号の不正取得を抑制することが可能になる。また、本発明では、カードリーダを制御するための制御信号を伝える第２ケーブルによって、第１ケーブルとコネクタとの接続部分が覆われているため、第１ケーブルとコネクタとの接続部分を覆うための部材を別途設ける必要がない。したがって、本発明では、カードリーダの構成を簡素化することが可能になる。
【０００９】
本発明において、第２ケーブルは、第１ケーブルとコネクタとの接続部分を覆うとともに、第１ケーブルの少なくとも一部を覆っていることが好ましい。このように構成すると、犯罪者によるデータ信号の不正取得を効果的に抑制することが可能になる。
【００１０】
本発明において、たとえば、記録再生手段は、磁気ヘッドであり、第１ケーブルの他端は、磁気ヘッドに接続されている。この場合には、第１ケーブルのコストを低減しつつ、磁気ヘッドから出力される磁気データのデータ信号や磁気ヘッドに入力される磁気データのデータ信号の不正取得を抑制することが可能になる。
【００１１】
本発明において、たとえば、カードリーダは、カードリーダを制御するための平板状の第２回路基板を備え、第２ケーブルは、回路基板と第２回路基板とを電気的に繋いでいる。この場合には、たとえば、カードリーダは、カードが通過するカード通過路と、カード通過路を通過するカードを検知するためのカード検知機構とを備え、カード検知機構は、カード通過路を挟むように配置される発光部と受光部とを有する光学式のセンサであり、第２回路基板には、発光部または受光部が実装されている。この場合には、カードリーダを制御するための第２回路基板と回路基板とを電気的に繋ぐ第２ケーブルによって第１ケーブルとコネクタとの接続部分が覆われているため、第１ケーブルとコネクタとの接続部分を覆うための部材を別途設ける必要がない。したがって、カードリーダの構成を簡素化することが可能になる。
【００１２】
本発明において、たとえば、カードリーダは、カードが通過するカード通過路を備え、記録再生手段は、磁気ヘッドであり、カード通過路を通過するカードの厚さ方向の一方を第１方向とし、その反対方向を第２方向とすると、回路基板は、カード通過路よりも第１方向側に配置され、第２回路基板は、カード通過路よりも第２方向側に配置され、磁気ヘッドは、第２方向側からカード通過路に臨むように配置されている。この場合には、カード通過路の第２方向側から第１方向側に向かって引き回される第２ケーブルによって第１ケーブルとコネクタとの接続部分を覆うことが可能になる。
【００１３】
本発明において、カードリーダは、カードが通過するカード通過路と、回路基板に実装され第２ケーブルの一端側が接続される第２コネクタとを備え、カード通過路を通過するカードの厚さ方向の一方を第１方向とし、その反対方向を第２方向すると、回路基板は、回路基板の厚さ方向とカード通過路を通過するカードの厚さ方向とが一致するようにカード通過路よりも第１方向側に配置され、コネクタは、回路基板の第２方向側の面に実装され、第２コネクタは、回路基板の第１方向側の面に実装され、第１ケーブルとコネクタとの接続部分は、第１方向側から回路基板に覆われるとともに、カード通過路を通過するカードの幅方向の一方側から第２ケーブルに覆われていることが好ましい。このように構成すると、回路基板と第２ケーブルとによって、第１ケーブルとコネクタとの接続部分を確実に覆うことが可能になる。したがって、犯罪者によるデータ信号の不正取得を効果的に抑制することが可能になる。
【００１４】
また、この場合には、第２ケーブルは、カード通過路を通過するカードの幅方向の一方側から第１ケーブルの少なくとも一部を覆っていることが好ましい。このように構成すると、犯罪者によるデータ信号の不正取得をより効果的に抑制することが可能になる。
【発明の効果】
【００１５】
以上のように、本発明のカードリーダでは、カードに対してデータの読取りや書込みを行う記録再生手段から出力されるデータ信号や記録再生手段に入力されるデータ信号を伝えるケーブルのコストを低減しつつ、犯罪者によるデータ信号の不正取得を抑制することが可能になる。
【図面の簡単な説明】
【００１６】
【図１】本発明の実施の形態にかかるカードリーダの概略側面図である。
【図２】図１のＥ部の拡大図である。
【図３】図２のＦ−Ｆ方向から回路基板、第１ケーブル、第２ケーブル、コネクタおよび第２コネクタ等を示す図である。
【図４】本発明の他の実施の形態にかかるコネクタの配置を説明するための拡大図である。
【図５】図４のＧ−Ｇ方向から回路基板、第１ケーブル、第２ケーブル、コネクタおよび第２コネクタ等を示す図である。
【発明を実施するための形態】
【００１７】
以下、図面を参照しながら、本発明の実施の形態を説明する。
【００１８】
（カードリーダの構成）
図１は、本発明の実施の形態にかかるカードリーダ１の概略側面図である。図２は、図１のＥ部の拡大図である。図３は、図２のＦ−Ｆ方向から回路基板６、ケーブル８、９およびコネクタ１２、１５等を示す図である。
【００１９】
本形態のカードリーダ１は、カード２に記録されたデータの読取りおよびカード２へのデータの書込みの少なくともいずれか一方を行うための装置であり、たとえば、ＡＴＭ等の所定の上位装置に搭載されて使用される。カードリーダ１の内部には、カード挿入口から挿入されたカード２が通過するカード通過路３が形成されている。本形態のカードリーダ１は、カード通過路３でカード２を搬送するカード搬送機構を備えており、カード通過路３は、カード２が搬送されるカード搬送路となっている。
【００２０】
カード２は、たとえば、厚さが０．７〜０．８ｍｍ程度の略長方形状の塩化ビニール製のカードである。カード２には、磁気データが記録される磁気ストライプが形成されている。なお、カード２には、ＩＣチップが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２１】
図１に示すように、カード通過路３を通過するカード２は、Ｘ方向へ移動する。Ｘ方向に直交するＺ方向は、カード通過路３を通過するカード２の厚さ方向であり、Ｚ方向とＸ方向とに直交するＹ方向は、カード通過路３を通過するカード２の幅方向である。以下の説明では、Ｘ方向を前後方向、Ｙ方向を左右方向、Ｚ方向を上下方向とする。また、カード２の幅方向の一方である図３のＹ１方向を「右」方向とし、その反対方向（カード２の幅方向の他方）である図３のＹ２方向を「左」方向とする。また、カード２の厚さ方向の一方である図１のＺ１方向を「上」方向とし、その反対方向（カード２の厚さ方向の他方）である図１のＺ２方向を「下」方向とする。本形態の上方向（Ｚ１方向）は第１方向であり、下方向（Ｚ２方向）は第２方向である。
【００２２】
カードリーダ１は、カード２に記録された磁気データの読取りおよびカード２への磁気データの書込みの少なくともいずれか一方を行う記録再生手段としての磁気ヘッド５を備えている。磁気ヘッド５は、下側からカード通過路３に臨むように配置されている。具体的には、磁気ヘッド５は、磁気ヘッド５の磁気ギャップがカード通過路３に下側から臨むように配置されている。
【００２３】
また、カードリーダ１は、カードリーダ１を制御するための回路基板６と、カードリーダ１を制御するための第２回路基板としての回路基板７と、磁気ヘッド５から出力される磁気データのデータ信号および磁気ヘッド５に入力される磁気データのデータ信号の少なくともいずれか一方を伝える第１ケーブルとしてのケーブル８と、回路基板６に接続されカードリーダ１を制御するための制御信号を伝える第２ケーブルとしてのケーブル９とを備えている。
【００２４】
回路基板６、７は、ガラスエポキシ基板等のリジッド基板であり、略長方形の平板状に形成されている。回路基板６は、回路基板６の厚さ方向と上下方向とが一致するようにカードリーダ１の本体フレーム１０に固定されている。また、回路基板６は、カードリーダ１の上端側部分に配置されており、カード通過路３よりも上側に配置されている。回路基板７は、回路基板７の厚さ方向と上下方向とが一致するように本体フレーム１０に固定されている。また、回路基板７は、カード通過路３よりも下側に配置されている。
【００２５】
回路基板６は、カードリーダ１を制御するためのメイン基板であり、回路基板６には、磁気データの処理回路やカード搬送機構を構成するモータの駆動回路等の主要な回路が実装されている。また、カードリーダ１は、カード通過路３を通過するカード２を検知するためのカード検知機構１６を備えており、このカード検知機構１６は、上下方向でカード通過路３を挟むように対向配置される発光部１７と受光部１８とを有する光学式のセンサである。回路基板６には、受光部１８が実装されている。一方、回路基板７は、センサ基板であり、回路基板７には、発光部１７が実装されている。なお、回路基板６に発光部１７が実装され、回路基板７に受光部１８が実装されても良い。また、カード２が非接触式のＩＣカードである場合には、通信用のアンテナとアンテナの制御回路とが回路基板７に実装されても良い。
【００２６】
ケーブル８は、たとえば、被覆付きの導線と、この導線の周りを覆う細い導線または金属箔とを備えるシールド線であり、磁気ヘッド５と回路基板６とを電気的に繋いでいる。ケーブル８の一端側は、回路基板６に実装されたコネクタ１２に接続されている。具体的には、ケーブル８の一端に雄型のコネクタが取り付けられており、この雄型のコネクタが、雌型のコネクタであるコネクタ１２に差し込まれている。コネクタ１２は、回路基板６の右端側の下面に実装されており、コネクタ１２の全体が上側から回路基板６に覆われている。また、ケーブル８とコネクタ１２との接続部分は、上側から回路基板６に覆われている。具体的には、ケーブル８とコネクタ１２との接続部分の全体が上側から回路基板６に覆われている。また、ケーブル８の上端側は、上側から回路基板６に覆われている。ケーブル８の他端は、磁気ヘッド５に接続されている。具体的には、ケーブル８の他端は、本体フレーム１０の内部において磁気ヘッド５の端子に接続されている。
【００２７】
ケーブル８は、磁気ヘッド５が配置されるカードリーダ１の下端側から回路基板６が配置されるカードリーダ１の上端側に向かって引き回されている。また、ケーブル８は、本体フレーム１０の右側面に沿うように本体フレーム１０の外側を引き回されている。すなわち、本体フレーム１０の内部に配置される磁気ヘッド５に他端が接続されるケーブル８は、本体フレーム１０の下端側から右側へ引き出された後に本体フレーム１０の右側面に沿って上方向へ引き回され、その後、コネクタ１２に右側から接続されている。ケーブル８の上端側の一部分は、本体フレーム１０に取り付けられるクランプ部材１３に保持されている。
【００２８】
ケーブル９は、フレキシブルフラットケーブル（Ｆｌｅｘｉｂｌｅ  Ｆｌａｔ  Ｃａｂｌｅ（ＦＦＣ））またはフレキシブルプリント基板（Ｆｌｅｘｉｂｌｅ  Ｐｒｉｎｔｅｄ  Ｃｉｒｃｕｉｔｓ（ＦＰＣ））であり、細長い帯状に形成されている。ケーブル９の幅は、ケーブル８の幅よりも広くなっている。また、ケーブル９の幅は、コネクタ１２の幅（前後方向の幅）よりも広くなっている。ケーブル９は、回路基板６と回路基板７とを電気的に繋いでおり、カード検知機構１６の発光部１７の制御信号を回路基板６から回路基板７に伝えている。
【００２９】
ケーブル９の一端側は、回路基板６に実装されたコネクタ１５に接続されている。具体的には、ケーブル９の一端は、コネクタ１５に直接差し込まれている。また、ケーブル９の他端は、回路基板７に直接、あるいは、コネクタを介して接続されている。コネクタ１５は、回路基板６の右端側の上面に実装されている。具体的には、コネクタ１５は、図３に示すように、上下方向においてコネクタ１２と重なるように回路基板６の上面に実装されている。上下方向から見たときに、コネクタ１５は、コネクタ１２よりも大きくなっており、コネクタ１２は、コネクタ１５の外形の中に収まっている。本形態のコネクタ１５は第２コネクタである。
【００３０】
ケーブル９は、回路基板７が配置されるカードリーダ１の下端側から回路基板６が配置されるカードリーダ１の上端側に向かって引き回されている。また、ケーブル９は、本体フレーム１０の右側面に沿うように本体フレーム１０の外側を引き回されている。すなわち、回路基板７に他端が接続されるケーブル９は、本体フレーム１０の下端側から右側へ引き出された後に本体フレーム１０の右側面に沿って真上に引き回され、その後、コネクタ１５に右側から接続されている。
【００３１】
図２に示すように、ケーブル９は、ケーブル８とコネクタ１２との接続部分を右側から覆っている。すなわち、ケーブル９は、ケーブル８とコネクタ１２との接続部分を右側から覆うようにコネクタ１５を介して回路基板６に接続されている。本形態では、ケーブル９は、ケーブル８とコネクタ１２との接続部分の全体を右側から覆っている。また、ケーブル９は、コネクタ１２の全体を右側から覆うとともに、ケーブル８の上端側の一部分を右側から覆っている。
【００３２】
（本形態の主な効果）
以上説明したように、本形態では、磁気ヘッド５から出力される磁気データのデータ信号や磁気ヘッド５に入力される磁気データのデータ信号を伝えるケーブル８とコネクタ１２との接続部分は、上側から回路基板６に覆われるとともに、ケーブル８よりも幅の広いケーブル９によって右側から覆われている。すなわち、本形態では、磁気データのデータ信号が最も不正取得されやいケーブル８とコネクタ１２との接続部分が回路基板６およびケーブル９に覆われている。そのため、本形態では、特許文献１に記載の断線検知信号層がケーブル８に形成されていなくても、犯罪者による磁気データのデータ信号の不正取得を抑制することが可能になる。したがって、本形態では、ケーブル８のコストを低減しつつ磁気データのデータ信号の不正取得を抑制することが可能になる。
【００３３】
また、本形態では、ケーブル８よりも幅の広いケーブル９がケーブル８の上端側の一部分を右側から覆うとともに、回路基板６がケーブル８の上端側を上側から覆っているため、犯罪者による磁気データのデータ信号の不正取得を効果的に抑制することが可能になる。また、本形態では、回路基板６と回路基板７とを電気的に繋ぐためにカードリーダ１の下端側から上端側に向かって引き回されるケーブル９によって、ケーブル８とコネクタ１２との接続部分が右側から覆われているため、ケーブル８とコネクタ１２との接続部分を右側から覆うための部材を別途設ける必要がない。したがって、本形態では、カードリーダ１の構成を簡素化することが可能になる。
【００３４】
（他の実施の形態）
上述した形態は、本発明の好適な形態の一例ではあるが、これに限定されるものではなく本発明の要旨を変更しない範囲において種々変形実施が可能である。
【００３５】
上述した形態では、コネクタ１２は、回路基板６の下面に実装されているが、図４に示すように、コネクタ１２は、回路基板６の上面に実装されても良い。この場合には、図５に示すように、コネクタ１５は、コネクタ１２よりも左側で回路基板６の上面に実装されている。また、ケーブル９は、ケーブル８とコネクタ１２との接続部分を上側および右側から覆っている。すなわち、ケーブル９は、ケーブル８とコネクタ１２との接続部分を上側および右側から覆うようにコネクタ１５を介して回路基板６に接続されている。具体的には、ケーブル９は、ケーブル８とコネクタ１２との接続部分の全体を上側および右側から覆っている。また、ケーブル９は、コネクタ１２の全体を上側および右側から覆っている。また、ケーブル８とコネクタ１２との接続部分は、コネクタ１５によって左側から覆われ、ケーブル８の上端側の一部分は、ケーブル９によって上側および右側から覆れている。
【００３６】
この場合であっても、磁気データのデータ信号が最も不正取得されやいケーブル８とコネクタ１２との接続部分が、上側および右側からケーブル９に覆われるとともに、左側からコネクタ１５に覆われているため、特許文献１に記載の断線検知信号層がケーブル８に形成されていなくても、犯罪者による磁気データのデータ信号の不正取得を抑制することが可能になり、その結果、ケーブル８のコストを低減しつつ磁気データのデータ信号の不正取得を抑制することが可能になる。また、ケーブル９に加えて、ケーブル８とコネクタ１２との接続部分を上側および右側から覆うための部材を別途設ける必要がないため、カードリーダ１の構成を簡素化することが可能になる。
【００３７】
また、上述した形態では、コネクタ１５は、回路基板６の上面に実装されているが、コネクタ１５は、回路基板６の下面に実装されても良い。この場合には、コネクタ１５は、コネクタ１２よりも右側で回路基板６の下面に実装されている。また、この場合には、ケーブル９は、ケーブル８とコネクタ１２との接続部分を右側から覆っている。
【００３８】
上述した形態では、ケーブル８は、たとえば、シールド線であるが、ケーブル８は、ＦＦＣまたはＦＰＣであっても良い。また、上述した形態では、コネクタ１２に差し込まれる雄型のコネクタがケーブル８の一端に取り付けられているが、ケーブル８がＦＦＣやＦＰＣである場合には、ケーブル８の一端が直接、コネクタ１２に差し込まれても良い。また、上述した形態では、ケーブル９の一端は、コネクタ１５を介して回路基板６に接続されているが、ケーブル９の一端は、回路基板６に直接、接続されても良い。また、上述した形態は、ケーブル９は、ＦＦＣまたはＦＰＣであるが、ケーブル９は、所定の方向に配列される複数の被覆付きの導線が互いに密着するように固定されることで形成されたスダレ型のケーブルであっても良い。
【００３９】
上述した形態では、ケーブル８は、磁気ヘッド５と回路基板６とを電気的に繋ぐケーブルである。この他にもたとえば、ケーブル８は、カードリーダ１が搭載される上位装置とカードリーダ１とを電気的に繋ぐケーブルであっても良いし、カードリーダ１に取り付けられる周辺機器とカードリーダ１とを電気的に繋ぐケーブルであっても良い。この場合には、ケーブル８の一端側は、コネクタ１２に接続され、ケーブル８の他端側は、上位装置や周辺機器に接続される。なお、この場合であっても、ケーブル８は、磁気ヘッド５から出力される磁気データのデータ信号や磁気ヘッド５に入力される磁気データのデータ信号を伝える機能を果たしている。また、この場合であっても、ケーブル８とコネクタ１２との接続部分は、回路基板６やケーブル９に覆われている。
【００４０】
また、カード２に形成されるＩＣチップの外部接続端子に接触するＩＣ接点をカードリーダ１が備えるとともに、ケーブル８は、ＩＣ接点と回路基板６とを電気的に繋ぐケーブルであっても良い。この場合には、ＩＣ接点は、カード２に記録されたデータの読取りやカード２へのデータの書込みを行う記録再生手段であり、ケーブル８は、ＩＣ接点を介してカード２のＩＣチップと通信されるデータ信号を伝える。なお、この場合であっても、ケーブル８とコネクタ１２との接続部分は、回路基板６やケーブル９に覆われている。
【００４１】
上述した形態では、ケーブル８は、回路基板６と回路基板７とを電気的に繋ぐケーブル９に覆われているが、ケーブル８は、ケーブル９以外のケーブルに覆われても良い。たとえば、ケーブル８は、カードリーダ１に取り付けられる周辺機器とカードリーダ１とを電気的に繋ぐケーブルに覆われても良い。また、上述した形態では、ケーブル８の上端側の一部分がケーブル９に覆われているが、ケーブル８の全体がケーブル９に覆われても良い。また、上述した形態では、カードリーダ１は、カード搬送機構を備えるカード搬送式のカードリーダであるが、カードリーダ１は、ユーザが手動でカードを操作する手動式のカードリーダであっても良い。
【符号の説明】
【００４２】
１  カードリーダ
２  カード
３  カード通過路
５  磁気ヘッド（記録再生手段）
６  回路基板
７  回路基板（第２回路基板）
８  ケーブル（第１ケーブル）
９  ケーブル（第２ケーブル）
１２  コネクタ
１５  コネクタ（第２コネクタ）
１６  カード検知機構
１７  発光部
１８  受光部
Ｙ  カードの幅方向
Ｚ  カードの厚さ方向
Ｚ１  第１方向
Ｚ２  第２方向
【図１】
0006446338.tif 000002
【図２】
0006446338.tif 000003
【図３】
0006446338.tif 000004
【図４】
0006446338.tif 000005
【図５】
0006446338.tif 000006